(57)【要約】【課題】ＩＰアドレスが固定された学習者の端末とは別に、ＩＰアドレスが固定されていない端末からでも、学習を容易に受けることができるネットワーク型学習支援システムを提供すること。【解決手段】本発明のネットワーク型学習支援システムは、ＩＰアドレスが固定されたＩＰ固定学習者端末５０ａ〜５０ｎと、ＩＰアドレスを取得するＩＰ取得学習者端末４０ａ〜４０ｎと、教材のファイルが選定される教師端末１０と、選定された教材のファイルをＩＰ固定学習者端末５０ａ〜５０ｎとＩＰ取得学習者端末４０ａ〜４０ｎにネットワーク３０を介し配信するファイル配信サーバ２０とを備え、ファイル配信サーバ２０は、ＩＰ取得学習者端末４０ａ〜４０ｎよりＩＰアドレスの取得要求があったときＩＰアドレスを付与するＤＨＣＰ部２１を有した構成を有している。【選択図】  図１
2004271589.tif 000002
【特許請求の範囲】
【請求項１】
ＩＰアドレスが固定されたＩＰ固定学習者端末と、ＩＰアドレスを取得するＩＰ取得学習者端末と、教材のファイルが選定される教師端末と、選定された前記教材のファイルを前記ＩＰ固定学習者端末と前記ＩＰ取得学習者端末にネットワークを介し配信するファイル配信サーバとを備え、前記ファイル配信サーバは、前記ＩＰ取得学習者端末よりＩＰアドレスの取得要求があったときＩＰアドレスを付与するＤＨＣＰ部を有したことを特徴とするネットワーク型学習支援システム。
【請求項２】
前記教師端末は、前記ＩＰ固定学習者端末と前記ＩＰ取得学習者端末への前記教材のファイルの配信方式が選定される配信方式選定部を有し、前記ファイル配信サーバは、前記配信方式で前記教材のファイルを配信するファイル配信部を有することを特徴とする請求項１に記載のネットワーク型学習支援システム。
【請求項３】
前記教材のファイルは、音声データまたは、画像データまたは、音声と画像のデータのファイルとすることを特徴とする請求項１または請求項２に記載のネットワーク型学習支援システム。
【請求項４】
前記ファイル配信サーバは、前記教師端末でブロードキャストの配信方式が選定されたとき、複数の前記ＩＰ固定学習者端末と複数の前記ＩＰ取得学習者端末の全学習者端末に前記教材を配信することを特徴とする請求項１から請求項３の何れかに記載のネットワーク型学習支援システム。
【請求項５】
前記ファイル配信サーバは、前記教師端末でマルチキャストの配信方式が選定されたとき、複数の前記ＩＰ固定学習者端末と複数の前記ＩＰ取得学習者端末とから予め選定されたグループの学習者端末に前記教材を配信することを特徴とする請求項１から請求項３の何れかに記載のネットワーク型学習支援システム。
【請求項６】
前記ファイル配信サーバは、前記教師端末でユニキャストの配信方式が選定されたとき、複数の前記ＩＰ固定学習者端末と複数の前記ＩＰ取得学習者端末とから予め選定された単一の学習者端末に前記教材のファイルを配信することを特徴とする請求項１から請求項３の何れかに記載のネットワーク型学習支援システム。
【発明の詳細な説明】
【０００１】
【発明の属する技術分野】
本発明は、ＩＰアドレスが固定された学習者の端末とは別に、ＩＰアドレスが固定されていない端末からでも、学習を容易に受けることができるネットワーク型学習支援システムに関する。
【０００２】
【従来の技術】
従来のネットワーク型学習支援システムでは、語学学習システムやパソコン教室などがあるネットワークコンピュータの環境下の学校や学習塾などの教育施設で使用され、固定のＩＰアドレスに対応した学習者の端末により学習やＣＡＩ（Ｃｏｍｐｕｔｅｒ  Ａｓｓｉｓｔｅｄ  Ｉｎｓｔｒｕｃｔｉｏｎ）が行われている（例えば、特許文献１参照）。学習者の端末は、多数設けられ同時に多数の学習者の端末が使用されることが多いため、各学習者の端末にはＩＰ（Ｉｎｔｅｒｎｅｔ  Ｐｒｏｔｏｃｏｌ）アドレスが固定されている。
【０００３】
【特許文献１】
特開２００２−１４６０８号公報
【０００４】
【発明が解決しようとする課題】
しかしながら、従来のネットワーク型学習支援システムは、学校や学習塾などの教育施設の学習者の端末で学習やＣＡＩを受けることはできるが、例えば自宅などのＩＰアドレスが固定されていない教育施設外の端末からは語学学習やＣＡＩを受けることはできず、そのために教育施設外の複数の端末ごとにＩＰアドレスを固定した場合にはシステムの規模が大掛かりのものとなり、学習の機会を増やしたり臨機応変に学習の機会を容易に得ることはできなかった。
【０００５】
本発明は、このような従来の問題を解決するためになされたもので、ＩＰアドレスが固定された学習者の端末とは別に、ＩＰアドレスが固定されていない端末からでも、学習を容易に受けることができるネットワーク型学習支援システムを提供するものである。
【０００６】
【課題を解決するための手段】
本発明のネットワーク型学習支援システムは、ＩＰアドレスが固定されたＩＰ固定学習者端末と、ＩＰアドレスを取得するＩＰ取得学習者端末と、教材のファイルが選定される教師端末と、選定された前記教材のファイルを前記ＩＰ固定学習者端末と前記ＩＰ取得学習者端末にネットワークを介し配信するファイル配信サーバとを備え、前記ファイル配信サーバは、前記ＩＰ取得学習者端末よりＩＰアドレスの取得要求があったときＩＰアドレスを付与するＤＨＣＰ部を有した構成を有している。
この構成により、教育施設に設置されたＩＰ固定学習者端末以外の端末からでも接続することができ、ＩＰアドレスが固定されていない端末からでも学習を容易に受けることができる。
【０００７】
前記教師端末は、前記ＩＰ固定学習者端末と前記ＩＰ取得学習者端末への前記教材のファイルの配信方式が選定される配信方式選定部を有し、前記ファイル配信サーバは、前記配信方式で前記教材のファイルを配信するファイル配信部を有する構成を有している。
この構成により、教材のファイルの配信方式を選定し、教材のファイルの配信を学習者端末に的確に行うことができる。
【０００８】
前記教材のファイルは、音声データまたは、画像データまたは、音声と画像のデータのファイルとする構成を有している。
この構成により、教材のファイルを学習状況に応じた的確な再生を行うことができ、学習を効果的に行うようにすることができる。
【０００９】
前記ファイル配信サーバは、前記教師端末でブロードキャストの配信方式が選定されたとき、複数の前記ＩＰ固定学習者端末と複数の前記ＩＰ取得学習者端末の全学習者端末に前記教材を配信する構成を有している。
この構成により、全員を対象とした効率的な学習を行うことができる。
【００１０】
前記ファイル配信サーバは、前記教師端末でマルチキャストの配信方式が選定されたとき、複数の前記ＩＰ固定学習者端末と複数の前記ＩＰ取得学習者端末とから予め選定されたグループの学習者端末に前記教材を配信する構成を有している。
この構成により、特定のグループごとに重点的に学習を行うことができ、効果的な学習を行うことができる。
【００１１】
前記ファイル配信サーバは、前記教師端末でユニキャストの配信方式が選定されたとき、複数の前記ＩＰ固定学習者端末と複数の前記ＩＰ取得学習者端末とから予め選定された単一の学習者端末に前記教材のファイルを配信する構成を有している。
この構成により、特定の個人ごとに重点的に学習を行うことができ、効果的な学習を行うことができる。
【００１２】
【発明の実施の形態】
以下、本発明の実施の形態について、図面を用いて説明する。
【００１３】
図１は、本発明の実施の形態のネットワーク型学習支援システムにおいてブロードキャストの配信方式で配信が行われるときのブロック図を示す。
図１に示すように、本発明の実施の形態のネットワーク型学習支援システムは、学習用に教材のファイルが選定されるとともに選定された教材のファイルの配信方式が選定される教師端末１０と、ＩＰアドレスを取得するＩＰ取得学習者端末４０ａ〜４０ｎと、ＩＰアドレスが固定されたＩＰ固定学習者端末５０ａ〜５０ｎと、ＩＰ取得学習者端末４０ａ〜４０ｎとＩＰ固定学習者端末５０ａ〜５０ｎとにネットワーク３０を介し教材のファイルを配信するファイル配信サーバ２０とで構成されている。
【００１４】
教師端末１０は、教材のファイルが選定されるファイル選定部１１と、配信する教材のファイルの配信方式が選定される配信方式選定部１２と、ＩＰ取得学習者端末４０ａ〜４０ｎとＩＰ固定学習者端末５０ａ〜５０ｎの中から、教材のファイルの配信対象の学習者端末が選定される学習者端末選定部１３とで構成されている。
【００１５】
ファイル配信サーバ２０は、ＩＰ取得学習者端末４０ａ〜４０ｎよりＩＰアドレスの取得要求があったときプールされたＩＰアドレスを付与するＤＨＣＰ（Ｄｙｎａｍｉｃ  Ｈｏｓｔ  Ｃｏｎｆｉｇｕｒａｔｉｏｎ  Ｐｒｏｔｏｃｏｌ）部２１と、複数の教材のファイルが記憶された記憶部２２と、教師端末１０のファイル選定部１１で選定された教材のファイルを収納するファイル収納部２３と、教材のファイルを配信するファイル配信部２４と、ファイル配信サーバ２０がＩＰ取得学習者端末４０ａ〜４０ｎにＩＰアドレスを付与するときと、教師端末１０やＩＰ取得学習者端末４０ａ〜４０ｎやＩＰ固定学習者端末５０ａ〜５０ｎと接続するときと、ＩＰ取得学習者端末４０ａ〜４０ｎとＩＰ固定学習者端末５０ａ〜５０ｎに教材のファイルを配信するときに利用されるＩＰアドレス対応テーブル２５とで構成されている。
【００１６】
ＩＰ取得学習者端末４０ａは、ファイル配信サーバ２０から配信される教材のファイルを受信するファイル受信部４１ａと、受信した教材のファイルを再生する再生部４２ａとを有し、ＩＰ取得学習者端末４０ｎは、ファイル受信部４１ｎと、再生部４２ｎとを有し、ＩＰ取得学習者端末４０ａとＩＰ取得学習者端末４０ｎとの間のＩＰ取得学習者端末も同様の構成を有している。
ＩＰ固定学習者端末５０ａは、ファイル配信サーバ２０から配信される教材のファイルを受信するファイル受信部５１ａと、受信した教材のファイルを再生する再生部５２ａとを有し、ＩＰ固定学習者端末５０ｎは、ファイル受信部５１ｎと、再生部５２ｎとを有し、ＩＰ固定学習者端末５０ａとＩＰ固定学習者端末５０ｎとの間のＩＰ固定学習者端末も同様の構成を有している。ＩＰ固定学習者端末５０ａ〜５０ｎは、学校や学習塾などの教育施設に設けられ、学習が行われるときには、ＩＰ固定接続が行われており、ＩＰ取得学習者端末４０ａ〜４０ｎは、学校や学習塾などの教育施設から離れた例えは自宅や事務所などに設けられ、学習を受けるときに取得ＩＰアドレスによる接続が行われる。
再生部４２ａ〜４２ｎ、５２ａ〜５２ｎは、受信した教材のファイルを保存し、保存した教材のファイルを再生することも、また、受信した教材のファイルを直ちに再生することもできる。
【００１７】
図１に示す本発明の実施の形態のネットワーク型学習支援システムは、教師端末１０の配信方式選定部１２でブロードキャストの配信方式が選定され、教師端末１０のファイル選定部１１で選定された教材のファイルをブロードキャストの配信方式で配信する場合を示す。
【００１８】
次に、図１に示す本発明の実施の形態のネットワーク型学習支援システムの動作について説明する。
ＩＰ固定学習者端末５０ａ〜５０ｎは、ＩＰアドレスが固定されているため、学習が行われるときには固定ＩＰアドレスによる接続が行われている。ＩＰ取得学習者端末４０ａ〜４０ｎのうち学習を受ようとするＩＰ取得学習者端末は、立上げ時にＩＰアドレスの取得要求をファイル配信サーバ２０のＤＨＣＰ部２１に行うことによりＩＰアドレスを取得し、取得ＩＰアドレスによる接続が行われる。
教師端末１０は、ブロードキャストの配信が行われるときには、配信方式選定部１２にブロードキャストの配信方式が選定されるが、全学習者端末を対象に配信が行われるため、学習者端末選定部１３には教材のファイルの配信対象の学習者端末は選定されない。ファイル配信サーバ２０は、ファイル選定部１１により記憶部２２にある教材のファイルが選定されたとき、教師端末１０から連絡を受けたブロードキャストの配信方式で、記憶部２２に記憶されている教材のファイルからファイル選定部１１により選定された教材のファイルをファイル収納部２３に収納する。ファイル収納部２３に収納された教材のファイルは、ファイル配信部２４によりネットワーク３０を介し矢印Ｂに示すように、全ＩＰ固定学習者端末５０ａ〜５０ｎと、ＩＰ取得学習者端末４０ａ〜４０ｎの中でＩＰアドレスを取得し接続が行われているＩＰ取得学習者端末との全学習者端末を対象に配信される。
ＩＰ固定学習者端末５０ａ〜５０ｎでは、教師端末１０で選定された教材のファイルがファイル受信部５１ａ〜５１ｎで受信され、再生部５２ａ〜５２ｎで再生される。また、ＩＰ取得学習者端末４０ａ〜４０ｎでも、教師端末１０で選定された教材のファイルが、ファイル受信部４１ａ〜４１ｎで受信され、再生部４２ａ〜４２ｎで再生される。このとき、再生部４２ａ〜４２ｎ、５２ａ〜５２ｎは、受信した教材のファイルを保存し、保存した教材のファイルを再生することも、また、受信した教材のファイルを直ちに再生することもできる。
【００１９】
図２は、ファイル配信サーバに設けられるＩＰアドレス対応テーブルを示す。ＩＰアドレス対応テーブル２５は、ＩＰ固定学習者端末５０ａ〜５０ｎごとに固定ＩＰアドレスが対応し、ＩＰ取得学習者端末４０ａ〜４０ｎごとにＤＨＣＰ部２１より取得した取得ＩＰアドレスが対応し、教師端末１０に教師端末ＩＰアドレスが対応し、ファイル配信サーバ２０にファイル配信サーバＩＰアドレスが対応する。これらのＩＰアドレスは、図１に示すファイル配信サーバ２０が、教師端末１０やＩＰ取得学習者端末４０ａ〜４０ｎやＩＰ固定学習者端末５０ａ〜５０ｎと接続するときに使用される。
ファイル配信サーバ２０は、教師端末１０より教師端末ＩＰアドレスがファイル配信サーバＩＰアドレス宛に送信されたとき、ＩＰアドレス対応テーブル２５により照合して教師端末１０を認定したとき接続し、また、ＩＰ取得学習者端末４０ａ〜４０ｎより取得ＩＰアドレスがファイル配信サーバＩＰアドレス宛に送信されたとき、ＩＰアドレス対応テーブル２５により照合してＩＰ取得学習者端末４０ａ〜４０ｎを認定したとき接続し、さらに、ＩＰ固定学習者端末５０ａ〜５０ｎより固定のＩＰアドレスがファイル配信サーバＩＰアドレス宛に送信されたとき、ＩＰアドレス対応テーブル２５により照合してＩＰ固定学習者端末５０ａ〜５０ｎを認定したとき接続する。
また、ファイル配信サーバ２０がブロードキャストによる配信を行うときには、ＩＰアドレス対応テーブル２５からＩＰ固定学習者端末５０ａ〜５０ｎの固定ＩＰアドレスと、ＩＰ取得学習者端末４０ａ〜４０ｎの取得ＩＰアドレスが求められ、これらのＩＰアドレスによりファイル配信部２４からＩＰ固定学習者端末５０ａ〜５０ｎとＩＰ取得学習者端末４０ａ〜４０ｎとを対象に教材のファイルの配信が行われる。
【００２０】
図３は、本発明の実施の形態のネットワーク型学習支援システムにおいてマルチキャストの配信方式で配信が行われるときのブロック図を示す。
図３に示す本発明の実施の形態のネットワーク型学習支援システムは、学習用に教材のファイルが選定されるとともに選定された教材のファイルをマルチキャストの配信方式で配信するもので、構成は図１に示す本発明の実施の形態のネットワーク型学習支援システムと同一のため、構成の説明は省略する。
【００２１】
次に、図３に示す本発明の実施の形態のネットワーク型学習支援システムの動作について説明する。
ＩＰ固定学習者端末５０ａ〜５０ｎは、ＩＰアドレスが固定されているため、学習が行われるときには固定ＩＰアドレスによる接続が行われている。ＩＰ取得学習者端末４０ａ〜４０ｎのうち学習を受ようとするＩＰ取得学習者端末は、立上げ時にＩＰアドレスの取得要求をファイル配信サーバ２０のＤＨＣＰ部２１に行うことによりＩＰアドレスを取得し、取得ＩＰアドレスによる接続が行われる。
教師端末１０は、マルチキャストの配信が行われるときには、配信方式選定部１２にマルチキャストの配信方式が選定され、また、学習者端末選定部１３には、ＩＰ取得学習者端末４０ａ〜４０ｎとＩＰ固定学習者端末５０ａ〜５０ｎの中から、教材のファイルの配信対象のグループの学習者端末が選定される。ファイル配信サーバ２０は、ファイル選定部１１により記憶部２２にある教材のファイルが選定されたとき、教師端末１０から連絡を受けたマルチキャストの配信方式で、記憶部２２に記憶されている教材のファイルからファイル選定部１１により選定された教材のファイルをファイル収納部２３に収納する。ファイル収納部２３に収納された教材のファイルは、ファイル配信部２４によりネットワーク３０を介し矢印Ｍに示すように、ＩＰ取得学習者端末４０ａ〜４０ｎとＩＰ固定学習者端末５０ａ〜５０ｎの中から学習者端末選定部１３により選定されたグループの学習者端末を対象に配信される。
学習者端末選定部１３により選定されたグループの学習者端末では、教師端末１０で選定された教材のファイルがファイル受信部で受信され、再生部で再生される。このとき、再生部は、受信した教材のファイルを保存し、保存した教材のファイルを再生することも、また、受信した教材のファイルを直ちに再生することもできる。
【００２２】
また、ファイル配信サーバ２０は、前記したブロードキャストにより配信する場合と同様に、図２のＩＰアドレス対応テーブル２５により、教師端末１０と、ＩＰ取得学習者端末４０ａ〜４０ｎと、ＩＰ固定学習者端末５０ａ〜５０ｎと接続する。ファイル配信サーバ２０がマルチキャストによる配信を行うときには、ＩＰアドレス対応テーブル２５から学習者端末選定部１３により選定されたグループの学習者端末のＩＰアドレスが求められ、これらのＩＰアドレスによりファイル配信部２４からグループの学習者端末を対象に教材のファイルの配信が行われる。
【００２３】
図４は、本発明の実施の形態のネットワーク型学習支援システムにおいてユニキャストの配信方式で配信が行われるときのブロック図を示す。
図４に示す本発明の実施の形態のネットワーク型学習支援システムは、学習用に教材のファイルが選定されるとともに選定された教材のファイルをユニキャストの配信方式で配信するもので、構成は図１に示す本発明の実施の形態のネットワーク型学習支援システムと同一のため、構成の説明は省略する。
【００２４】
次に、図４に示す本発明の実施の形態のネットワーク型学習支援システムの動作について説明する。
ＩＰ固定学習者端末５０ａ〜５０ｎは、ＩＰアドレスが固定されているため、学習が行われるときには固定ＩＰアドレスによる接続が行われている。ＩＰ取得学習者端末４０ａ〜４０ｎのうち学習を受ようとするＩＰ取得学習者端末は、立上げ時にＩＰアドレスの取得要求をファイル配信サーバ２０のＤＨＣＰ部２１に行うことによりＩＰアドレスを取得し、取得ＩＰアドレスによる接続が行われる。
教師端末１０は、ユニキャストの配信が行われるときには、配信方式選定部１２にユニキャストの配信方式が選定され、また、学習者端末選定部１３には、ＩＰ取得学習者端末４０ａ〜４０ｎとＩＰ固定学習者端末５０ａ〜５０ｎの中から、教材のファイルの配信対象の単一の学習者端末が選定される。ファイル配信サーバ２０は、ファイル選定部１１により記憶部２２にある教材のファイルが選定されたとき、教師端末１０から連絡を受けたユニキャストの配信方式で、記憶部２２に記憶されている教材のファイルからファイル選定部１１により選定された教材のファイルをファイル収納部２３に収納する。ファイル収納部２３に収納された教材のファイルは、ファイル配信部２４によりネットワーク３０を介し矢印Ｕに示すように、ＩＰ取得学習者端末４０ａ〜４０ｎとＩＰ固定学習者端末５０ａ〜５０ｎの中から学習者端末選定部１３により選定された単一の学習者端末を対象に配信される。
学習者端末選定部１３により選定された単一の学習者端末では、教師端末１０で選定された教材のファイルがファイル受信部で受信され、再生部で再生される。このとき、再生部は、受信した教材のファイルを保存し、保存した教材のファイルを再生することも、また、受信した教材のファイルを直ちに再生することもできる。
【００２５】
また、ファイル配信サーバ２０は、前記したブロードキャストにより配信する場合と同様に、図２のＩＰアドレス対応テーブル２５により、教師端末１０と、ＩＰ取得学習者端末４０ａ〜４０ｎと、ＩＰ固定学習者端末５０ａ〜５０ｎと接続する。ファイル配信サーバ２０がユニキャストによる配信を行うときには、ＩＰアドレス対応テーブル２５から学習者端末選定部１３により選定された単一の学習者端末のＩＰアドレスが求められ、このＩＰアドレスによりファイル配信部２４から単一の学習者端末を対象に教材のファイルの配信が行われる。
【００２６】
なお、本発明の実施の形態のネットワーク型学習支援システムは、ファイル配信サーバ２０に記憶され配信される教材のファイルを、音声ファイルとして使用することも、また画像ファイルとして使用することも、さらに音声と画像ファイルとして使用することもできる。
また、ファイル配信サーバ２０は、教材のファイルを開放し、ＩＰ取得学習者端末４０ａ〜４０ｎとＩＰ固定学習者端末５０ａ〜５０ｎとからの所望の教材のファイルの要求に対し配信を行うこともできる。
さらに、本発明の実施の形態のネットワーク型学習支援システムは、ネットワークをＬＡＮの専用ネットワークとし、特定の学校や学習塾で使用するようにすることもできる。
【００２７】
以上のように、本発明の実施の形態のネットワーク型学習支援システムは、学校や学習塾などの教育施設に設けられたＩＰ固定学習者端末５０ａ〜５０ｎ以外の教育施設から離れた例えは自宅や事務所などに設けられたＩＰ取得学習者端末４０ａ〜４０ｎからでも接続することができ、ＩＰアドレスが固定された学習者の端末とは別に、ＩＰアドレスが固定されていない端末からでも、学習を容易に受けることができる。
また、教材のファイルを全学習者端末に配送することも、グループの学習者端末に配送することも、個別に学習者端末に配送することもできる。
【００２８】
【発明の効果】
以上説明したように、本発明によれば、教育施設に設置されたＩＰ固定学習者端末以外の端末からでも接続することができ、ＩＰアドレスが固定されていない端末からでも学習を容易に受けることができる。
【図面の簡単な説明】
【図１】本発明の実施の形態のネットワーク型学習支援システムにおいてブロードキャストの配信方式で配信が行われるときのブロック図
【図２】ファイル配信サーバに設けられるＩＰアドレス対応テーブルを示す図
【図３】本発明の実施の形態のネットワーク型学習支援システムにおいてマルチキャストの配信方式で配信が行われるときのブロック図
【図４】本発明の実施の形態のネットワーク型学習支援システムにおいてユニキャストの配信方式で配信が行われるときのブロック図
【符号の説明】
１０  教師端末
１１  ファイル選定部
１２  配信方式選定部
１３  学習者端末選定部
２０  ファイル配信サーバ
２１  ＤＨＣＰ部
２２  記憶部
２３  ファイル収納部
２４  ファイル配信部
２５  ＩＰアドレス対応テーブル
３０  ネットワーク
４０ａ〜４０ｎ  ＩＰ取得学習者端末
４１ａ〜４１ｎ  ファイル受信部
４２ａ〜４２ｎ  再生部
５０ａ〜５０ｎ  ＩＰ固定学習者端末
５１ａ〜５１ｎ  ファイル受信部
５２ａ〜５２ｎ  再生部
【図１】
2004271589.tif 000003
【図２】
2004271589.tif 000004
【図３】
2004271589.tif 000005
【図４】
2004271589.tif 000006